(57)【要約】【課題】  カウンターと浴室の壁との間に水垢や石鹸カスが付着することがなく、清掃性を高めた浴室用カウンターを提供する。【解決手段】  浴室の壁１１０に取り付けられるカウンター３００において、浴室の壁１１０に、カウンター３００を支持する支持材３５０を固定し、支持材３００の先端で、カウンター３００の下面３２０を支持してなり、支持材３００は、カウンター３００の全ての側端面が浴室の壁１１０および浴槽２００から水平方向に離間するように、カウンター３００を支持してなる。【選択図】  図４
2019141739.tif 000002
【特許請求の範囲】
【請求項１】
浴室の壁に取り付けられて、洗面器を載せて使用するカウンターにおいて、
前記浴室の壁に、前記カウンターを支持する支持材を固定し、
前記支持材の先端で、前記カウンターの下面を支持してなり、
前記支持材は、前記カウンターの全ての側端面が前記浴室の壁および浴槽から水平方向に離間するように、前記カウンターを支持してなることを特徴とする浴室用カウンター。
【請求項２】
前記支持材は、前記カウンターの横幅よりも狭い横幅としたことを特徴とする請求項１記載の浴室用カウンター。
【請求項３】
前記カウンターの後端よりも後方における前記支持材の上面を、前記支持材が固定された壁に向けて下方傾斜させたことを特徴とする請求項２記載の浴室用カウンター。
【発明の詳細な説明】
【技術分野】
【０００１】
本発明は、浴室の壁に取り付けられるカウンターに関する。
【背景技術】
【０００２】
従来から、家庭の浴室での身体洗いの作業を楽にするために、洗面器を洗い場よりも上方に置けるように、浴室の壁にカウンターを取り付けている。
特許文献１（特開２０１１−６７３４０号）では、カウンターは、壁に取り付けた３本のブラケットでカウンターの下面を支持し、カウンターの背後部を凹ませて設けた取付基部を、カウンターのトップ面より低くして排水溝とし、取付基部の後端部を壁に当接させている。排水溝は狭く、また、カウンターの本体部と壁とが成す角部で入隅が形成されるので、掃除しにくく、入隅にこびりついた水垢や石鹸カスを落とすのは容易ではなく、手間がかかる。
【０００３】
また、特許文献２（特開２０１３−１７９９８７号）では、腰掛け可能なカウンターを壁や浴槽から離し、カウンターの前後位置を左右方向に貫通する２本の支柱で壁と浴槽とに固定させている。このカウンターは、壁から離れているものの、カウンターの左右の側端面に支柱が貫通しているので、カウンターの側端面と支柱とが成す角部で入隅が形成されてしまい、やはり、水垢や石鹸カスをキレイに落とすのは容易ではなく、手間がかかる。
【先行技術文献】
【特許文献】
【０００４】
【特許文献１】特開２０１１−６７３４０号公報
【特許文献２】特開２０１３−１７９９８７号公報
【発明の概要】
【発明が解決しようとする課題】
【０００５】
そこで、本発明は、カウンターと浴室の壁との間に水垢や石鹸カスが付着することがなく、清掃性を高めた浴室用カウンターを提供することを目的とする。
【課題を解決するための手段】
【０００６】
上記した課題を解決するために、本発明は、浴室の壁に取り付けられて、洗面器を載せて使用するカウンターにおいて、前記浴室の壁に、前記カウンターを支持する支持材を固定し、前記支持材の先端で、前記カウンターの下面を支持してなり、前記支持材は、前記カウンターの全ての側端面が前記浴室の壁および浴槽から水平方向に離間するように、前記カウンターを支持してなることを特徴とする。
【０００７】
この浴室用カウンターは、カウンターを、側端面を壁や浴槽から水平方向に離して配設したことにより、カウンターと壁や浴槽とが成す入隅が無くなる。そのため、従来、入隅に溜まりやすかった水や汚れが溜まることがない。また、壁や浴槽とカウンターとの間の入隅にシリコンを塗布する必要もなく、見栄えも良好になる。
【０００８】
さらに、カウンターの側端面を壁や浴槽から離間させているので、汚れが付着したカウンターの側端面を端から端まで、洗剤とスポンジ等の清掃用具で簡単に擦り洗いすることができる。したがって、浴室用カウンターの清掃性を、従来よりも格段に優れたものとなる。
【０００９】
また、本発明の浴室用カウンターは、前記支持材は、前記カウンターの横幅よりも狭い横幅とすることが好ましい。
【００１０】
これによれば、支持材の横幅が、カウンターの横幅よりも狭く形成されているので、壁から離間させたカウンターから背後に流れ落ちる水が、支持材上に留まりにくい。そのため、水に含まれた界面活性剤等に起因した汚れの付着を支持材上に付着するのを抑制することができ、清掃性を高めることが可能となる。
【００１１】
また、本発明の浴室用カウンターは、前記カウンターの後端よりも後方における前記支持材の上面を、前記支持材が固定された壁に向けて下方傾斜させることが、より好ましい。
【００１２】
これによれば、支持材上を流れる水は、傾斜によって流速が増すので、支持材上に水が残りにくい。そのため、支持材と壁との隅に水が溜まりにくく、汚れにくくなる。
【発明の効果】
【００１３】
本発明によれば、カウンターと浴室の壁との間に水垢や石鹸カスが付着することがなく、清掃性を高めた浴室用カウンターを提供することが可能となる。
【図面の簡単な説明】
【００１４】
【図１】本発明の実施形態の浴室用カウンターを設置した浴室を示す斜視図である。
【図２】本発明の実施形態の浴室用カウンターの平面図である。
【図３】本発明の実施形態の浴室用カウンターの正面図である。
【図４】本発明の実施形態の浴室用カウンターの右側面図である。
【図５】本発明の実施形態の浴室用カウンターの底面図である。
【図６】本発明の実施形態の浴室用カウンターの側端面に付着した汚れを示す拡大図である。
【図７】本発明の実施形態の浴室用カウンターの側端面をお手入れしている状態を示す図である。
【図８】本発明の浴室用カウンターの第一の変形例を示す右側面図である。
【図９】本発明の浴室用カウンターの第二の変形例を示す右側面図である。
【発明を実施するための形態】
【００１５】
以下、本発明の実施の形態を図面に基づいて説明する。
図１は、本発明の実施形態の浴室用カウンターを設置した浴室を示す斜視図、図２は浴室用カウンターの平面図、図３は浴室用カウンターの正面図、図４は浴室用カウンターの右側面図、図５は浴室用カウンターの底面図である。
【００１６】
図１に示すように、浴室用カウンター３００（以下、カウンターと記す）は、浴室の洗い場１００の正面壁１１０に取り付けられている。より具体的には、カウンター３００は、浴槽２００と、浴槽２００と洗い場１００を挟んで相対する側面壁１２０との間で、浴槽２００と側面壁１２０との間に配設される正面壁１１０に沿って取り付けられている。カウンター３００は、その上面３１０が平坦あるいは緩く傾斜して段差の無い載置面となっており、洗面器などを載せて使用することができる。
【００１７】
カウンター３００の上方の正面壁１１０には、カウンター３００に載せた洗面器に給湯する水栓４００が取り付けられている。また、水栓４００より上方の正面壁１１０には、鏡５００が取り付けられている。
【００１８】
カウンター３００は、支持材３５０によって正面壁１１０に取り付けられている。
【００１９】
支持材３５０は、その一端（先端）が、カウンター３００の下面３２０において、側端面３３０から離れた位置に、ネジなどの締結具３５１によって取り付けられている。また、支持材３５０の他端は、正面壁１１０の、カウンター３００の側端面３３０の下端よりも所定寸法離れた下方位置に、ボルトなどの締結具３５２により取り付けられている。
この支持材３５０は、その横幅をカウンター３００の横幅よりも狭くしている。例えば、水栓４００や鏡５００の横幅と同等程度に、支持材３５０の横幅を狭くしている。これは、支持材３５０上に水が溜まりにくくして、汚れの付着を抑制するためである。
さらに、支持材３５０の上面は、正面壁１１０に向けて下り傾斜させており、支持材３５０上を流れる水の流速を速め、且つ、支持材３５０の上に水が溜まりにくくしている。
【００２０】
カウンター３００は、その左右および背後の側端面が、それぞれ正面壁１１０、側面壁１２０、浴槽２００から離間するように取り付けられている。そのため、カウンター３００の側端面３３０と正面壁１１０、側面壁１２０、浴槽２００との間には、それぞれ隙間が形成される。本実施形態においては、カウンター３００の背後の側端面３３０Ｂと正面壁１１０との間には、５０ｍｍの隙間Ｓ１が設けられている。カウンター３００の左側（浴槽２００側）の側端面３３０Ｌと浴槽２００との間には、７０ｍｍの隙間Ｓ２が設けられている。また、カウンター３００の右側（壁１２０側）の側端面３３０Ｒと側面壁１２０との間には、７０ｍｍの隙間Ｓ３が設けられている。
【００２１】
この隙間Ｓ１〜Ｓ３は、カウンター３００の側端面３３０を拭き掃除するのに適切な寸法の隙間があいている。隙間に手指Ｆを入れて念入りに掃除をするには、隙間Ｓ１，Ｓ２，Ｓ３は、３０ｍｍ以上であることが好ましく、手の甲が正面壁１１０、側面壁１２０、浴槽２００に当たらないためには７０ｍｍ以下であることが好ましい。また、隙間Ｓ１は、洗い場１００にカウンター３００が大きく出っ張らないために、３０〜５０ｍｍであることがより好ましい。
【００２２】
図６は、カウンターの側端面に付着した汚れを示す拡大図である。
前述したとおり、カウンター３００の上面３１０に洗面器を載せて使用するため、カウンター３００の上面３１０には界面活性剤を含んだ水が流れる。その水は、カウンター３００の全体の周囲から側端面３３０を伝って洗い場１００上に落下する。そのため、水垢あるいは石鹸カスなどの汚れＤは、カウンター３００の側端面３３０に残留しやすい。特に、側端面３３０の下端に残留しやすい。
【００２３】
次に、カウンターのお手入れ方法について説明する。
図７は、カウンターの側端面をお手入れしている状態を示す図である。
【００２４】
カウンター３００の側端面３３０の下端に付着した汚れＤは、洗剤を含ませた等の清掃用具Ｃで擦り洗いすることによって落とすことができる。その際、カウンター３００の側端面３３０と正面壁１１０，側面壁１２０あるいは浴槽２００との隙間Ｓ１，Ｓ２，Ｓ３は、前述したとおり３０ｍｍ以上の寸法を有するので、図７に示すように、清掃用具Ｃを掴んだ手指Ｆは、この隙間Ｓ１，Ｓ２，Ｓ３に容易に差し込むことができる。そして、支持材３５０の一端は、カウンター３００の下面３２０のうち側端面３３０から離れた位置に取り付けられている。そのため、カウンター３００の側端面３３０と支持材３５０とで入隅が形成されることはなく、カウンター３００の側端面３３０の下方は空間となる。これにより、カウンター３００の側端面３３０を、力を入れて擦り洗いすることが可能となる。また、カウンター３００の側端面３３０に付着した汚れは、入隅に付着した汚れよりも容易に擦り落とすことが可能である。したがって、カウンター３００の側端面３３０の下端などに付着した水垢や石鹸カスといった汚れＤを簡単に落とすことができる。これにより、カウンター３００の側端面３３０へのカビの発生を抑制することができる。
【００２５】
本実施形態のカウンター３００によれば、カウンター３００が、その側端面３３０を正面壁１１０，側面壁１２０や浴槽２００から離して配設されるので、カウンター３００と正面壁１１０，側面壁１２０や浴槽２００とが成す入隅が無くなる。そのため、従来、入隅に溜まりやすかった水や汚れが残留することがない。また、正面壁１１０，側面壁１２０や浴槽２００とカウンター３００との間の入隅にシリコンを塗布する必要もなく、見栄えも良好になる。
【００２６】
さらに、カウンター３００の側端面３３０を正面壁１１０，側面壁１２０や浴槽２００から離間させた上で、カウンター３００の下面３２０のうち側端面３３０から離れた位置に取り付けた支持材３５０で壁１１０に固定するので、カウンター３００の側端面３３０は、正面壁１１０，側面壁１２０や浴槽２００ばかりでなく支持材３５０からも離間した状態となる。そのため、カウンター３００の上面３１０から界面活性剤を含んだ水がカウンター３００の側端面３３０に垂れ流され、水垢や石鹸カスなどの汚れＤがカウンター３００の側端面３３０に残っても、カウンター３００の側端面３３０を端から端まで、洗剤と清掃用具Ｃとで、より一層、簡単に清掃することができる。
【００２７】
また、カウンター３００は、カウンター３００の側端面３３０と正面壁１１０，側面壁１２０や浴槽２００とを、３０ｍｍ以上離間させる。これにより、清掃用具Ｃを持った手指Ｆを隙間Ｓ１，Ｓ２，Ｓ３に容易に差し込むことができ、強い力で拭き掃除することが可能である。
【００２８】
また、カウンター３００は、上面３１０には段差を形成していないので、水はカウンター３００の上面３１０に溜まりにくく、カウンター３００の上面３１０への水垢や石鹸カスなどの汚れの付着を抑制することが可能となる。
【００２９】
次に、本発明の浴室用カウンターの変形例について説明する。なお、前述した実施形態と同じ構成については、同じ符号を付し、その説明を省いている。
【００３０】
図８は、第一の変形例のカウンターを示す右側面図である。
このカウンター６００は、側端面６３０を曲面状にして、さらに、上面６１０・下面６２０と側端面６３０との間に角を無くしている。
【００３１】
この変形例によれば、カウンター６００は、側端面６３０を曲面状にすることにより、拭き掃除を一層手軽に行うことができる。
【００３２】
図９は、第二の変形例のカウンターを示す右側面図である。
このカウンター７００では、カウンター７００と支持具３５０との間に、補強材３７０を設けている。この補強材３７０は、カウンター７００よりも狭い横幅の支持具３５０で支持してもカウンター７００を撓みにくくする。
そして、カウンター７００の背後の側端面７３０Ｂと補強材３７０の背後の側端面３７０Ｂとは、面一となるように構成されている。
【００３３】
このように、本発明は、支持材３５０で直接カウンター７００を支持しなくても構わない。
【００３４】
また、この変形例によれば、支持材３５０の真上においては、カウンター７００の裏側まで清掃用具Ｃが入り込まないので、前述した実施の形態よりも手間はかかるが、カウンター７００の全ての側端面は壁や浴槽から離れているので、やはり、汚れが付着したカウンター７００の側端面を端から端まで、洗剤と清掃用具Ｃで簡単に擦り洗いすることができる。
【００３５】
なお、支持具３５０と補強材３７０とを一体化させてもよい。
【００３６】
以上、本発明の実施の形態について説明した。しかし、本発明はこれらの記述に限定されるものではない。
【符号の説明】
【００３７】
１００    洗い場
１１０    壁
１２０    壁
２００    浴槽
３００    カウンター
３１０    カウンターの上面
３２０    カウンターの下面
３３０    カウンターの側端面
３３０Ｂ  カウンターの背後側の側端面
３３０Ｒ  カウンターの右側の側端面
３３０Ｌ  カウンターの左側の側端面
３５０    支持材
３７０    補強材
３７０Ｂ  補強材の背後側の側端面
６００    カウンター
６１０    カウンターの上面
６２０    カウンターの下面
６３０    カウンターの側端面
７００    カウンター
７３０Ｂ  カウンターの背後側の側端面
Ｓ１      隙間
Ｓ２      隙間
Ｓ３      隙間
【図１】
2019141739.tif 000003
【図２】
2019141739.tif 000004
【図３】
2019141739.tif 000005
【図４】
2019141739.tif 000006
【図５】
2019141739.tif 000007
【図６】
2019141739.tif 000008
【図７】
2019141739.tif 000009
【図８】
2019141739.tif 000010
【図９】
2019141739.tif 000011